(57)【特許請求の範囲】
【請求項１】
前面を開口した貯蔵室を有する本体部と、鉛直な枢支軸で前記本体部に枢支されて前記貯蔵室の前面を開閉する断熱扉と、鉛直面内で回動可能なレバー部材を有して前記本体部に取り付けられるロック機構とを備え、前記ロック機構が振動したときに前記レバー部材の前端から上下方向に屈曲する突出部が上下動して前記断熱扉の閉止状態をロックする冷蔵庫において、前記ロック機構を前記枢支軸の近傍に配置し、前記断熱扉がパッキンを介して前記本体部に対向するとともに、前記ロック機構が前記枢支軸よりも外側に配置され、前記本体部が振動したときに前記突出部が前記パッキンにより形成される前記本体部と前記断熱扉との隙間に進入するとともに、振動停止時に前記レバー部材の自重により前記突出部が前記断熱扉をロックする位置から退避して前記断熱扉のロック状態が解除されることを特徴とする冷蔵庫。
【請求項２】
前面を開口した貯蔵室を有する本体部と、鉛直な枢支軸で前記本体部に枢支されて前記貯蔵室の前面を開閉する断熱扉と、鉛直面内で回動可能なレバー部材を有して前記本体部に取り付けられるロック機構とを備え、前記ロック機構が振動したときに前記レバー部材の前端から上下方向に屈曲する突出部が上下動して前記断熱扉の閉止状態をロックする冷蔵庫において、前記貯蔵室が左右に並設した複数の前記断熱扉により開閉されるとともに、前記断熱扉が前記本体部の左右端の前記枢支軸でそれぞれ枢支され、一方の前記断熱扉の横幅が他方の前記断熱扉よりも大きく、一方の前記断熱扉に対して前記ロック機構を前記枢支軸の近傍に配置するととともに、他方の前記断熱扉に対して前記ロック機構を開放側の端部に配置し、振動停止時に前記レバー部材の自重により前記突出部が前記断熱扉をロックする位置から退避して前記断熱扉のロック状態が解除されることを特徴とする冷蔵庫。
【請求項３】
左右方向に延びて前記突出部に係合する係合部を前記断熱扉の上端部または下端部に設け、前記突出部が先端を後方に向かって屈曲するとともに、前記係合部が先端を前方に向かって屈曲して前記突出部の係合時の上下動を規制することを特徴とする請求項２に記載の冷蔵庫。
【請求項４】
前記枢支軸を形成するヒンジピンを保持した保持部材を備え、前記ロック機構が前記保持部材に取り付けられることを特徴とする請求項１〜請求項３のいずれかに記載の冷蔵庫。
【発明の詳細な説明】
【技術分野】
【０００１】
本発明は、地震等の振動発生時に扉をロックするロック機構を備えた冷蔵庫に関する。
【背景技術】
【０００２】
地震発生時の振動により扉をロックして扉の開放を阻止する従来のロック機構は特許文献１に開示されている。このロック機構は扉により開閉される収納棚に取り付けられる。扉は収納棚の左右の端部の鉛直な枢支軸で枢支された片端支持方式の回動型に形成され、扉の開放側の端部にロック機構が配置される。
【０００３】
ロック機構は前面を開口する筐体と、筐体内に収納される球体と、筐体内に配されて筐体の前面から突出するレバー部材とを有する。レバー部材は筐体に水平な回動軸で軸支して鉛直面内で回動可能に配され、前端には下方に屈曲した突出部（フック）が形成される。球体はレバー部材の後端部上に設置される。扉には突出部に係合可能な係合部（フック受け）が設けられる。
【０００４】
地震の振動によって筐体内の球体が転動してレバー部材から脱落すると、レバー部材の前端が降下する。これにより、突出部が係合部に係合し、扉がロックされる。従って、地震発生時に収納物の落下や扉との衝突を防止し、収納棚の安全性を向上することができる。
【０００５】
また、特許文献２には同様のロック機構を冷蔵庫に設けることが記載され、地震発生時に冷蔵庫の扉をロックして冷蔵庫の安全性を向上することができる。
【先行技術文献】
【特許文献】
【０００６】
【特許文献１】特開平１０−２６６６７４号公報（第３頁−第７頁、第１図、第９図）
【特許文献２】特開２００１−３４９１２３号公報（第２頁、第５図）
【特許文献３】特開２００１−２５０５８２号公報（第２頁−第７頁、第１図、第２１図）
【発明の概要】
【発明が解決しようとする課題】
【０００７】
冷蔵庫の貯蔵室の前面を開閉する片端支持方式の回動型の断熱扉は断熱材の充填や、貯蔵室側に設けた収納ポケットによる収納物（例えば、飲料用ペットボトル、ドレッシング容器、牛乳等の紙パック等）の保持のために重量が大きくなる。このため、冷蔵庫の経年使用によって、断熱扉の自重による変形や、枢支軸を形成するヒンジピン及び軸受の摩耗による断熱扉の傾斜が生じ、断熱扉の開放側の端部が降下する。
【０００８】
このため、上記従来のロック機構を設けた冷蔵庫によると、振動によってレバー部材の前端が降下した際に突出部が係合部に係合しない場合がある。従って、地震発生時に断熱扉がロックされずに開放され、貯蔵室内や収納ポケットから落下した貯蔵物や断熱扉が人体に衝突する虞があった。
【０００９】
本発明は、地震発生時に断熱扉を確実にロックして安全性を向上できる冷蔵庫を提供することを目的とする。
【課題を解決するための手段】
【００１０】
上記目的を達成するために本発明は、前面を開口した貯蔵室を有する本体部と、鉛直な枢支軸で前記本体部に枢支されて前記貯蔵室の前面を開閉する断熱扉と、鉛直面内で回動可能なレバー部材を有して前記本体部及び前記断熱扉の一方に取り付けられるロック機構とを備え、前記ロック機構が振動したときに前記レバー部材の前端が上下動して前記断熱扉の閉止状態をロックする冷蔵庫において、前記ロック機構を前記枢支軸の近傍に配置したことを特徴としている。
【００１１】
また本発明は、上記構成の冷蔵庫において、前記ロック機構を前記本体部に取り付けたことを特徴としている。
【００１２】
また本発明は、上記構成の冷蔵庫において、左右方向に延びて前記レバー部材の前端に係合する係合部を前記断熱扉の上端部または下端部に設けたことを特徴としている。
【００１３】
また本発明は、上記構成の冷蔵庫において、前記断熱扉がパッキンを介して前記本体部に対向するとともに、前記ロック機構が前記枢支軸よりも外側に配置され、前記本体部が振動したときに前記レバー部材の前端が前記パッキンにより形成される前記本体部と前記断熱扉との隙間に進入することを特徴としている。
【００１４】
また本発明は、上記構成の冷蔵庫において、前記枢支軸を形成するヒンジピンを保持した保持部材を備え、前記ロック機構が前記保持部材に取り付けられることを特徴としている。
【００１５】
また本発明の冷蔵庫は、上記構成の冷蔵庫において、前記貯蔵室が左右に並設して複数の前記断熱扉により開閉されるとともに、前記本体部の左右端の前記枢支軸でそれぞれ枢支され、一方の前記断熱扉の横幅が他方の前記断熱扉よりも大きく、一方の前記断熱扉に対して前記ロック機構を前記枢支軸の近傍に配置するととともに、他方の前記断熱扉に対して前記ロック機構を開放側の端部に配置したことを特徴としている。
【００１６】
また本発明は、上前面を開口した貯蔵室を有する本体部と、鉛直な枢支軸で前記本体部に枢支されて前記貯蔵室の前面を開閉する断熱扉と、水平面内で回動可能なレバー部材を有して前記貯蔵室の側壁または前記断熱扉の側面に取り付けられるロック機構とを備え、前記ロック機構が振動したときに前記レバー部材の前端が左右方向に移動して前記断熱扉の閉止状態をロックすることを特徴としている。
【発明の効果】
【００１７】
本発明によると、鉛直面内で回動可能なレバー部材の前端が上下動して断熱扉の閉止状態をロックするロック機構を断熱扉の枢支軸の近傍に配置したので、経年使用によって断熱扉の開放端が降下しても断熱扉の開放を確実に阻止することができる。従って、冷蔵庫の安全性を向上することができる。
【図面の簡単な説明】
【００１８】
【図１】本発明の第１実施形態の冷蔵庫を示す正面図
【図２】本発明の第１実施形態の冷蔵庫を示す右側面断面図
【図３】本発明の第１実施形態の冷蔵庫の上部の右側面図
【図４】本発明の第１実施形態の冷蔵庫の右部の上面図
【図５】本発明の第１実施形態の冷蔵庫の冷蔵室の断熱扉のロック機構を示す側面断面図
【図６】本発明の第１実施形態の冷蔵庫の冷凍室の断熱扉のロック機構を示す側面断面図
【図７】本発明の第１実施形態の冷蔵庫の平常時の状態を示す右側面断面図
【図８】本発明の第１実施形態の冷蔵庫の地震発生時の状態を示す右側面断面図
【図９】本発明の第２実施形態の冷蔵庫を示す正面図
【図１０】本発明の第３実施形態の冷蔵庫の右部の上面図
【図１１】本発明の第３実施形態の冷蔵庫の平常時のロック機構の動作を示す側面断面図
【図１２】本発明の第３実施形態の冷蔵庫の地震発生時のロック機構の動作を示す側面断面図
【図１３】本発明の第４実施形態の冷蔵庫を示す正面図
【図１４】本発明の第４実施形態の冷蔵庫の冷蔵室の断熱扉のロック機構を示す上面断面図
【図１５】本発明の第４実施形態の冷蔵庫の冷蔵室の断熱扉のロック機構を示す側面断面図
【発明を実施するための形態】
【００１９】
＜第１実施形態＞
以下に図面を参照して本発明の実施形態を説明する。図１、図２は第１実施形態の冷蔵庫を示す正面図及び右側面断面図である。冷蔵庫１は発泡断熱材を充填した断熱箱体３により形成される本体部２を有している。本体部２の上部には冷蔵室５が設けられる。冷蔵室５の下方には断熱材を充填した仕切壁１１を介して製氷室６及び冷凍室７が左右に並設される。製氷室６と冷凍室７との間には本体部２の前部に配される上下に延びた縦仕切部（不図示）が設けられる。
【００２０】
製氷室６及び冷凍室７の下方には本体部２の前部に配される左右に延びた仕切部１３を介して冷凍室８が設けられる。冷凍室８の下方には断熱材を充填した仕切壁１２を介して野菜室９が設けられる。断熱箱体３の下部後方には機械室２０が設けられる。
【００２１】
冷蔵室５は貯蔵物を冷蔵保存し、野菜室９は冷蔵室５よりも高温に維持して野菜等の貯蔵物を冷蔵保存する。製氷室６、冷凍室７及び冷凍室８は連通し、製氷室６で製氷及び貯氷を行うとともに冷凍室７、８で貯蔵物を冷凍保存する。機械室２０内には冷凍サイクルを運転する圧縮機２１が配される。
【００２２】
冷蔵室５は左右端でそれぞれ枢支された観音開きの断熱扉１４、１５により開閉される。冷蔵室５の右側を覆う断熱扉１５の横幅は左側を覆う断熱扉１４の横幅よりも大きく（例えば、１．５倍〜２倍）形成される。また、断熱扉１４、１５の背面にはそれぞれドアポケット１４ａ、１５ａ（１４ａは不図示）が設けられる。尚、左右の断熱扉１４、１５が同じ横幅を有する構成も可能である。
【００２３】
製氷室６は貯氷容器（不図示）と一体の引出し式の断熱扉１６により開閉される。冷凍室７、８は貯蔵物の収納ケース１７ａ、１８ａと一体の引出し式の断熱扉１７、１８によりそれぞれ開閉される。野菜室９は収納ケース１９ａと一体の引出し式の断熱扉１９により開閉される。
【００２４】
引き出し式の断熱扉１６〜１９には左右の端部から後方に延びる保持部材（不図示）が設けられる。左右の保持部材によって貯氷容器や収納ケース１７ａ、１８ａ、１９ａが保持される。保持部材にはローラや下面が円弧状等の曲面の摺動部が設けられる。断熱箱体３の内壁には前後に延びるレール部材（不図示）が設けられ、摺動部を介して保持部材がレール部材上を摺動して案内される。摺動部によって引き出し式の断熱扉１６〜１９の開閉を円滑に行うことができる。
【００２５】
また、レール部材には断熱扉１６〜１９が閉じられた位置よりも前方で摺動部を斜め下方に案内する段差部が設けられる。これにより、断熱扉１６〜１９が閉じられる際に自重によって段差部上を降下して後方に案内される。従って、断熱扉１６〜１９が自閉性を有するとともに、断熱扉１６〜１９の密閉性を向上することができる。
【００２６】
断熱扉１４〜１９の内部には発泡断熱材が充填され、前面には美観や清掃性の向上のためにガラス板３７（図７参照）が配される。また、断熱扉１４〜１９の背面周部には断熱箱体３の前面に密接するパッキン２６（図３参照）が設けられる。
【００２７】
冷凍室７、８の背面部には冷気通路２４が設けられ、冷蔵室５の背面部には冷気通路２４とダンパ（不図示）を介して連通する冷気通路２５が設けられる。冷気通路２４には冷却器２２及び送風機２３が配され、冷凍室７に臨む吐出口２４ａ及び冷却器２２に冷気を戻す戻り口２４ｂが開口する。冷却器２２は圧縮機２１に接続され、冷気を生成する。
【００２８】
冷気通路２５には冷蔵室５に臨む吐出口２５ａが開口し、冷蔵室５からは野菜室９に連通する連通路（不図示）が導出される。野菜室９には冷却器２２に冷気を戻す戻り口（不図示）が設けられる。
【００２９】
圧縮機２１及び送風機２３の駆動によって冷気通路２４を流通する空気が冷却器２２と熱交換して冷気が生成され、吐出口２４ａから冷凍室７に吐出される。冷凍室７に吐出された冷気により製氷室６、冷凍室７及び冷凍室８内が冷却され、戻り口２４ｂを介して冷却器２２に戻る。これにより、製氷室６、冷凍室７及び冷凍室８内が氷点よりも低温に維持される。
【００３０】
また、ダンパが開かれると冷気通路２４を流通する冷気の一部が冷気通路２５に流入し、吐出口２５ａから冷蔵室５に吐出される。冷蔵室５に吐出された冷気により冷蔵室５内が冷却され、冷蔵室５内が氷点よりも高温に維持される。冷蔵室５を流通した冷気は連通路を介して野菜室９に流入し、野菜室９が冷蔵室５よりも高温に維持される。野菜室９を流通した冷気は戻り口を介して冷却器２２に戻る。
【００３１】
断熱箱体３の天面の左右端には保持部材３０が取り付けられ、仕切壁１１の前面の左右端には保持部材３１が取り付けられる。保持部材３０、３１は詳細を後述するように枢支軸Ｃを形成するヒンジピン３２（図３、図４参照）を保持する。
【００３２】
左右の保持部材３０の上面には振動により断熱扉１４、１５の閉止状態をロックして開放を阻止するロック機構４０がそれぞれ取り付けられる。仕切部１３の上面には振動により断熱扉１６、１７の閉止状態をロックして開放を阻止するロック機構５０がそれぞれ取り付けられる。仕切壁１２の上面には仕切部１３上と同じロック機構５０が取り付けられ、振動により断熱扉１８の閉止状態をロックする。断熱箱体３の底壁の上面には仕切部１３上と同じロック機構５０が取り付けられ、振動により断熱扉１９の閉止状態をロックする。
【００３３】
図３、図４は冷蔵庫１の上部の右側面図及び右部の上面図を示している。保持部材３０は金属板により形成され、断熱箱体３の上面にネジ止めされる。保持部材３１（図１参照）も同様に金属板により形成され、仕切壁１１（図１参照）の前面にネジ止めされる。
【００３４】
保持部材３０、３１は断熱箱体３よりも前方に突出し、鉛直方向に延びる金属製のヒンジピン３２を保持する。断熱扉１５の上下面には軸受部３３が設けられ、軸受部３３によりヒンジピン３２を軸支して断熱扉１５の鉛直な枢支軸Ｃ（図１参照）が形成される。尚、断熱扉１４も同様の構成により、ヒンジピン３２によって鉛直な枢支軸Ｃが形成される。
【００３５】
ロック機構４０はヒンジピン３２に対して断熱扉１５の開放端側にずれて保持部材３０上にネジ止めされる。これにより、ロック機構４０は枢支軸Ｃを形成するヒンジピン３２の近傍に配置される。
【００３６】
断熱扉１５の上面には左右方向に延びるバー状の係合部３５がロック機構４０に対向して設けられる。軸受部３３及び係合部３５は断熱扉１５の上面を覆う樹脂成形品の上面カバー３６（図７参照）により一体に形成される。
【００３７】
ロック機構４０は位置決めピン（不図示）により保持部材３０上に位置決めされる。保持部材３０は金属板により形成されるためロック機構４０は本体部２上の所定位置に正確に位置決めされる。係合部３５は軸受部３３の近傍に配されて一体に形成されるため、軸受部３３に対して所定位置に正確に配置される。このため、ロック機構４０と係合部３５との相対的な位置精度を高く維持することができる。
【００３８】
尚、断熱扉１４を枢支する保持部材３０上にも同様にロック機構４０がネジ止めされ、枢支軸Ｃを形成するヒンジピン３２の近傍に配置される。また、断熱扉１４の上面には左右方向に延びるバー状の係合部３５がロック機構４０に対向して設けられる。
【００３９】
図５は冷蔵室５の断熱扉１４、１５のロック機構４０の側面断面図を示している。ロック機構４０は保持部材３０上に配される樹脂成形品から成る中空の筐体４１を有している。筐体４１は前面に開口部４１ａを開口し、内部の底面４１ｂが筐体４１の前部に下端を有した円錐面に形成される。筐体４１には前部を開口部４１ａから突出して前後に延びるレバー部材４３が水平な回動軸を形成する軸部４３ａで軸支される。これにより、レバー部材４３は鉛直面内で回動可能になっている。レバー部材４３の前端には下方に屈曲した鉤状の突出部４３ｂが設けられる。
【００４０】
筐体４１内の底面４１ｂ上には金属等の球体４２が配される。球体４２は平常時には円錐面の底面４１ｂの下端に配置される。この時、レバー部材４３は自重によって後部が下がるように配置される。
【００４１】
ロック機構４０が振動すると球体４２が筐体４１の底面４１ｂ上を転動し、一点鎖線４２’で示すように軸部４３ａから離れる方向に移動して筐体４１の後部に配される。これにより、レバー部材４３は一点鎖線４３’で示すように球体４２により後部が持ち上げられ、前端が降下する。振動が終了すると球体４２は重力により底面４１ｂの下端に配置され、レバー部材４３の自重によりレバー部材４３の前端が上昇する。
【００４２】
図６は断熱扉１６〜１９のロック機構５０の側面断面図を示している。ロック機構５０は仕切壁１２等の上面に配される樹脂成形品から成る中空の筐体５１を有している。筐体５１は前面に開口部５１ａを開口し、内部の底面５１ｂが筐体５１の後部に下端を有した円錐面に形成される。筐体５１には前部を開口部５１ａから突出して前後に延びるレバー部材５３が水平な回動軸を形成する軸部５３ａで軸支される。これにより、レバー部材５３は鉛直面内で回動可能になっている。レバー部材５３の前端には上方に屈曲した鉤状の突出部５３ｂが設けられる。
【００４３】
筐体５１内の底面５１ｂ上には金属等の球体５２が配される。球体５２は平常時には円錐面の底面５１ｂの下端に配置される。この時、レバー部材５３は自重によって前部が下がるように配置される。
【００４４】
ロック機構５０が振動すると球体５２が筐体５１の底面５１ｂ上を転動し、一点鎖線５２’で示すように軸部５３ａから離れる方向に移動して筐体５１の前部に配される。これにより、レバー部材５３は一点鎖線５３’で示すように球体５２により前端が持ち上げられる。振動が終了すると球体５２は重力により底面５１ｂの下端に配置され、レバー部材５３の自重によりレバー部材５３の前端が降下する。
【００４５】
図７、図８は冷蔵庫１の上部の右側面断面図であり、ロック機構４０を通る断面を示している。平常時には図７に示すように、ロック機構４０のレバー部材４３の前端に設けた突出部４３ｂは係合部３５よりも上方に配置される。これにより、断熱扉１４、１５を開閉することができる。
【００４６】
地震が発生すると本体部２の振動がロック機構４０に伝達されてロック機構４０が振動し、レバー部材４３の前端が降下する。これにより、図８に示すように断熱扉１４、１５は開き始めても突出部４３ｂと係合部３５との係合により閉止状態がロックされ、断熱扉１４、１５の開放が阻止される。
【００４７】
また、ロック機構５０もロック機構４０と同様に動作する。即ち、断熱扉１６〜１９の背面には係合部３５と同様の左右方向に延びるバー状の係合部（不図示）がロック機構５０に対向して設けられる。平常時にはロック機構５０のレバー部材５３の前端に設けた突出部５３ｂは係合部よりも下方に配置される。これにより、断熱扉１６〜１９を開閉することができる。
【００４８】
地震が発生すると本体部２の振動がロック機構５０に伝達されてロック機構５０が振動し、レバー部材５３の前端が上昇する。これにより、断熱扉１６〜１９は開き始めても突出部５３ｂと係合部との係合により閉止状態がロックされ、断熱扉１６〜１９の開放が阻止される。
【００４９】
従って、開放された断熱扉１４〜１９や、断熱扉１４、１５の開放により落下した貯蔵物と、使用者との衝突を防止することができる。この時、断熱扉１４、１５のロック機構４０は枢支軸Ｃを形成するヒンジピン３２の近傍に配置される。このため、経年使用によって断熱扉１４、１５の開放端が降下しても、突出部４３ｂを係合部３５に係合させることができる。これにより、断熱扉１４、１５の開放を確実に阻止することができる。
【００５０】
特に、断熱扉１４、１５がガラス板３７を有するため重量が大きく、経年使用による開放端の降下量が大きい。しかしながら、ロック機構４０を枢支軸Ｃの近傍に配置することにより、断熱扉１４、１５の開放を確実に阻止することができる。
【００５１】
また、断熱扉１６〜１９のロック機構５０は貯氷ケースや収納ケース１７ａ〜１９ａにより上方を覆われる。これにより、冷蔵庫１の美観を向上することができる。
【００５２】
本実施形態によると、鉛直面内で回動可能なレバー部材４３の前端が降下して断熱扉１４、１５の閉止状態をロックするロック機構４０を断熱扉１４、１５の枢支軸Ｃの近傍に配置している。このため、経年使用によって断熱扉１４、１５の開放端が降下しても突出部４３ｂを係合部３５に係合させることができる。従って、断熱扉１４、１５の開放を確実に阻止し、冷蔵庫１の安全性を向上することができる。
【００５３】
また、左右方向に延びてレバー部材４３の前端の突出部４３ｂに係合する係合部３５を断熱扉１４、１５の上端部に設けたので、突出部４３ｂと係合部３５との係合によって容易に断熱扉１４、１５の開放を阻止することができる。
【００５４】
また、ヒンジピン３２を保持する保持部材３０にロック機構４０を取り付けたので、枢支軸Ｃの近傍にロック機構４０を容易に配置することができる。
【００５５】
本実施形態において、ロック機構４０に替えて断熱扉１６〜１９のロック機構５０を保持部材３１上に設け、係合部３５を断熱扉１４、１５の下端部に設けてもよい。また、レバー部材４３、５３の突出部４３ｂ、５３ｂを左右に延びるバー状に形成し、係合部（３５等）を鉤状に形成してもよい。
【００５６】
＜第２実施形態＞
次に、図９は第２実施形態の冷蔵庫１の正面図を示している。説明の便宜上、前述の図１〜図８に示す第１実施形態と同様の部分には同一の符号を付している。本実施形態は断熱扉１４のロック機構４０の配置が第１実施形態と異なっている。その他の部分は第１実施形態と同様である。
【００５７】
断熱扉１５のロック機構４０は第１実施形態と同様に、枢支軸Ｃの近傍に配置されるため、経年使用により開放端が降下しても確実に断熱扉１５をロックすることができる。
【００５８】
断熱扉１４のロック機構４０は本体部２の天井面に取り付けられ、断熱扉１４の開放側の端部に配置される。断熱扉１５よりも横幅の狭い断熱扉１４は自重による変形やヒンジピン３２（図６参照）の摩耗による傾斜が発生しにくいため、経年使用による開放端の降下が少ない。このため、ロック機構４０を断熱扉１４の開放側の端部に配置しても、地震発生時に断熱扉１４を確実にロックすることができる。
【００５９】
この時、断熱扉１４のロック機構４０は枢支軸Ｃから離れるため、開放される断熱扉１４から受ける力が小さい。従って、断熱扉１４のロック機構４０を小型化して冷蔵庫１のコストを削減することができる。
【００６０】
＜第３実施形態＞
次に、図１０は第３実施形態の冷蔵庫１の右部の上面図を示している。説明の便宜上、前述の図１〜図８に示す第１実施形態と同様の部分には同一の符号を付している。本実施形態は断熱扉１４、１５のロック機構４０の配置及びレバー部材４３の形状が第１実施形態と異なっている。その他の部分は第１実施形態と同様である。
【００６１】
断熱扉１５のロック機構４０は保持部材３０に取り付けられ、ヒンジピン３２により形成される枢支軸Ｃ（図１参照）よりも外側に配置される。断熱扉１４（図１参照）のロック機構４０も同様に、保持部材３０に取り付けられ、枢支軸Ｃよりも外側に配置される。
【００６２】
図１１は冷蔵庫１の上部のロック機構４０を通る右側面断面図を示している。断熱扉１４、１５と断熱箱体３の前面との間にはパッキン２６によって隙間Ｓが形成される。ロック機構４０のレバー部材４３の前端に設けられる突出部４３ｂは平板状に形成され、隙間Ｓに進入可能な前後方向の幅を有する。
【００６３】
平常時には同図に示すように、ロック機構４０のレバー部材４３の前端に設けた突出部４３ｂは断熱扉１４、１５の上面よりも上方に配置される。これにより、断熱扉１４、１５を開閉することができる。
【００６４】
地震が発生すると本体部２の振動がロック機構４０に伝達されてロック機構４０が振動し、図１２に示すようにレバー部材４３の前端が降下する。これにより、突出部４３ｂが枢支軸Ｃよりも外側の隙間Ｓに進入し、断熱扉１４、１５の閉止状態がロックされて断熱扉１４、１５の開放が阻止される。従って、第１実施形態と同様の効果を得ることができる。
【００６５】
尚、前述の図６に示すロック機構５０を本実施形態の突出部４３ｂと同様に突出部５３ｂを形成し、ロック機構４０に替えて断熱扉１４、１５の下方の保持部材３１（図１参照）に取り付けてもよい。
【００６６】
また、第１〜第３実施形態において、断熱扉１４、１５にヒンジピン３２の保持部材３０、３１を設け、本体部２に軸受部３３を設けてもよい。この時、ロック機構４０を軸受部３３に取り付けることにより、枢支軸Ｃの近傍にロック機構４０を配置することができる。
【００６７】
＜第４実施形態＞
次に、図１３は第４実施形態の冷蔵庫１の正面図を示している。説明の便宜上、前述の図１〜図８に示す第１実施形態と同様の部分には同一の符号を付している。本実施形態は冷蔵室５の断熱扉１４（図１参照）を省いて断熱扉１５が片開きに形成される。また、断熱扉１５のロック機構４０に替えてロック機構６０が設けられる。その他の部分は第１実施形態と同様である。
【００６８】
冷蔵庫１は本体部２の上方から順に冷蔵室５、冷凍室８、野菜室９が設けられ、それぞれ断熱扉１５、１８、１９により開閉される。断熱扉１５は本体部２の右端部に設けた保持部材３０、３１に保持されるヒンジピン３２によって枢支軸Ｃが形成される。
【００６９】
ロック機構６０は断熱扉１５の開放端である冷蔵室５の左側壁の上部に取り付けられる。断熱扉１５の左側面には上下方向に延びたバー状の係合部３５（図１４、図１５参照）が設けられる。
【００７０】
図１４、図１５はロック機構６０の上面断面図及び側面断面図を示している。ロック機構６０は冷蔵室５の側壁に配される樹脂成形品から成る中空の筐体６１を有している。筐体６１は前面に開口部６１ａを開口し、内部の底面６１ｂが筐体６１の前部に下端を有した円錐面に形成される。また、筐体６１の内部の右側面６１ｃは後方が左方向に傾斜した傾斜面に形成される。
【００７１】
筐体６１には前部を開口部６１ａから突出して前後に延びるレバー部材６３が鉛直な回動軸を形成する軸部６３ａで軸支される。これにより、レバー部材６３は水平面内で回動可能になっている。レバー部材６３の前端には右方に屈曲した鉤状の突出部６３ｂが設けられる。
【００７２】
筐体６１内の底面６１ｂ上には金属等の球体６２が配される。球体６２は平常時には円錐面の底面６１ｂの下端に配置される。この時、レバー部材５３は弾性部材（不図示）の付勢によって突出部６３ｂが係合部３５よりも左方に配置される。これにより、断熱扉１５を開閉することができる。
【００７３】
地震の発生により本体部２の振動がロック機構６０に伝達されてロック機構６０が振動すると、筐体６１の底面６１ｂ上を球体６２が転動する。これにより、球体６２が一点鎖線６２’で示すように軸部６３ａから離れる方向に移動して筐体６１の後部に配される。この時、球体６２は右側面６１ｃに沿って左方向に移動し、レバー部材６３が一点鎖線６３’で示すように前端を右方に回動し、突出部６３ｂが係合部３５に係合する。これにより、断熱扉１５は開き始めても突出部６３ｂと係合部３５との係合により閉止状態がロックされ、断熱扉１５の開放が阻止される。
【００７４】
振動が終了すると球体６２は重力により底面６１ｂの下端に配置され、レバー部材６３の前端が弾性部材により左方に移動する。
【００７５】
本実施形態によると、水平面内で回動可能なレバー部材６３の前端が左右方向に移動して断熱扉１５の閉止状態をロックするロック機構６０を設けている。このため、経年使用によって断熱扉１５の開放端が降下しても突出部６３ｂが係合部３５に係合して断熱扉１５をロックすることができる。従って、断熱扉１５の開放を確実に阻止し、冷蔵庫１の安全性を向上することができる。
【００７６】
また、上下方向に延びてレバー部材６３の前端の突出部６３ｂに係合する係合部３５を断熱扉１５の側面に設けたので、突出部６３ｂと係合部３５との係合によって容易に断熱扉１５の開放を阻止することができる。
【００７７】
本実施形態において、突出部６３ｂを前述の図１１に示す第３実施形態の突出部４３ｂと同様に形成し、ロック機構６０を断熱扉１５の枢支側である冷蔵室５の右側壁に取り付けてもよい。また、レバー部材６３の突出部６３ｂをバー状に形成して係合部３５を鉤状に形成してもよい。
【００７８】
また、第１〜第４実施形態において、ロック機構４０、５０、６０のレバー部材４３、５３、６３が球体４２、５２、６２の転動により回動するが、筐体４１、５１、６１に一端を支持した錘の揺動により回動してもよい。
【００７９】
また、第１〜第４実施形態において、ロック機構４０、５０、６０を本体部２に替えて断熱扉１４〜１９の上下の端部や側面に設け、振動発生時にレバー部材４３、５３、６３が本体部２に係合してもよい。
【産業上の利用可能性】
【００８０】
本発明は、地震発生時に扉をロックするロック機構を備えた冷蔵庫に利用することができる。
【符号の説明】
【００８１】
１    冷蔵庫
２    本体部
３    断熱箱体
４、１０  断熱材
５    冷蔵室
６    製氷室
７、８  冷凍室
９    野菜室
１１、１２  仕切壁
１３    仕切部
１４〜１９  断熱扉
１５ａ  ドアポケット
１７ａ〜１９ａ  収納ケース
２０    機械室
２１    圧縮機
２２    冷却器
２３    送風機
２４、２５  冷気通路
２６    パッキン
３０、３１  保持部材
３２    ヒンジピン
３３    軸受部
３５    係合部
３６    上面カバー
４０、５０、６０  ロック機構
４１、５１、６１  筐体
４２、５２、６２  球体
４３、５３、６３  レバー部材
４３ｂ、５３ｂ、６３ｂ  突出部
【図１】
0005844782.tif 000002
【図２】
0005844782.tif 000003
【図３】
0005844782.tif 000004
【図４】
0005844782.tif 000005
【図５】
0005844782.tif 000006
【図６】
0005844782.tif 000007
【図７】
0005844782.tif 000008
【図８】
0005844782.tif 000009
【図９】
0005844782.tif 000010
【図１０】
0005844782.tif 000011
【図１１】
0005844782.tif 000012
【図１２】
0005844782.tif 000013
【図１３】
0005844782.tif 000014
【図１４】
0005844782.tif 000015
【図１５】
0005844782.tif 000016